(57)【特許請求の範囲】
【請求項１】
使用者が着座する便座と、
前記便座の後端を回動自在に支持する本体部と、
前記本体部のノズル収納部に収納され、前記便座に着座した使用者の人体局部を洗浄する場合、該ノズル収納部から前方に突出して該人体局部に洗浄水を噴出するノズルと、
前記本体部のダクト収納部に収納され、前記人体局部の洗浄後に該人体局部を乾燥する場合、該ダクト収納部から前方に突出して該人体局部に送風する乾燥ダクトと、
を備えた人体局部洗浄装置において、
前記乾燥ダクトは、上方に送風用の吹き出し口が形成された筒状を呈するダクト壁と、該ダクト壁の先端開口を塞ぐ先端壁と、前記ダクト収納部と前記ダクト壁との間の隙間のうち少なくとも該ダクト壁よりも下方の隙間を前方から覆い隠すように前記先端壁又は前記ダクト壁の先端側の外周面から下方に突設されたフランジ部と、を備え、
前記ダクト収納部は、前記乾燥ダクトが突出する口の縁部となる口縁部を有し、該口縁部のうち下方側に該ダクト収納部の内外を挿通するように後方に向かって凹設された凹設溝が形成されており、前記乾燥ダクトの前記フランジ部の少なくとも一部が該凹設溝に収まっている、
人体局部洗浄装置。
【請求項２】
使用者が着座する便座と、
前記便座の後端を回動自在に支持する本体部と、
前記本体部のノズル収納部に収納され、前記便座に着座した使用者の人体局部を洗浄する場合、該ノズル収納部から前方に突出して該人体局部に洗浄水を噴出するノズルと、
前記本体部のダクト収納部に収納され、前記人体局部の洗浄後に該人体局部を乾燥する場合、該ダクト収納部から前方に突出して該人体局部に送風する乾燥ダクトと、
を備えた人体局部洗浄装置において、
前記乾燥ダクトは、上方に送風用の吹き出し口が形成された筒状を呈するダクト壁と、該ダクト壁の先端開口を塞ぐ先端壁と、前記ダクト収納部と前記ダクト壁との間の隙間のうち少なくとも該ダクト壁よりも下方の隙間を前方から覆い隠すように前記先端壁又は前記ダクト壁の先端側の外周面から下方に突設されたフランジ部と、を備え、
前記乾燥ダクトの前記フランジ部の下端には、該フランジ部に付着した水滴を該水滴の自重により一点に集約する尖状部が形成されている、
人体局部洗浄装置。
【請求項３】
前記乾燥ダクトの前記フランジ部の下端には、該フランジ部に付着した水滴を該水滴の自重により一点に集約する尖状部が形成されている請求項１に記載の人体局部洗浄装置。
【請求項４】
前記乾燥ダクトは、前記吹き出し口の少なくとも一部を含む先端部が着脱自在とされている請求項１〜３のうちのいずれか一項に記載の人体局部洗浄装置。
【発明の詳細な説明】
【技術分野】
【０００１】
本発明は、便座に着座した使用者の人体局部を洗浄するノズルと、人体局部の洗浄後に人体局部を乾燥する乾燥ダクトとを備える人体局部洗浄装置に関する。
【背景技術】
【０００２】
従来、人体局部洗浄装置として、便器内に突出して便座に着座した使用者の人体局部に洗浄水を噴射するノズルと、人体局部の洗浄後に人体局部を乾燥する乾燥ダクトとを備えるものがある。このような人体局部洗浄装置においては、便器の幅方向中央にノズルが配置されており、ノズルの側方に乾燥ダクトが配置されている。よって、乾燥ダクトから送風される温風を人体局部に当てるには、乾燥ダクトを便器内に突出させて、乾燥ダクトの吹き出し口を人体局部に近接させることが好ましい。乾燥ダクトの吹き出し口を人体局部に近接させることによって、使用者に十分な乾燥感を与えることが可能となる。
【０００３】
特許文献１には、乾燥ダクトを便器内に突出させることが可能な人体局部洗浄装置が開示されている（図５及び６参照）。図５は、人体局部洗浄装置５０が搭載された便器２の外観斜視図であって、乾燥ダクト５４により人体局部を乾燥している状態を示している。また、図６は、人体局部洗浄装置５０の外観斜視図であって、乾燥ダクト５４が本体部５２に収納されている状態を示している。なお、図５における上下左右方向はほぼ紙面平行方向、前方向は紙面手前方向、後方向は紙面奥方向に向いている。図６における上下前後方向は紙面平行方向、左方向は紙面奥方向、右方向は紙面手前方向に向いている。
【０００４】
図５に示すように、人体局部洗浄装置５０は、便器２の上部に搭載されている。図５及び６に示すように、人体局部洗浄装置５０は、使用者が着座する便座５１と、便座５１の後端を回動自在に支持する本体部５２と、本体部５２の第一及び第二のノズル収納部５２ａ及び５２ｂのそれぞれに出没自在に収納された第一及び第二のノズル５３ａ及び５３ｂと、本体部５２のダクト収納部５２ｃに出没自在に収納された乾燥ダクト５４と、本体部５２に対して回動自在に設けられた統合シャッター５５と、を備えている。また、乾燥ダクト５４は、上方に送風用の吹き出し口５４ａが形成された筒状を呈するダクト壁５４ｂと、ダクト壁５４ｂの先端開口を塞ぐ先端壁５４ｃと、を備えている。
【０００５】
図６は、第一のノズル５３ａ、第二のノズル５３ｂ及び乾燥ダクト５４の収納状態を説明するために、本体部５２の前面を覆っている統合シャッター５５を強制的に上方に回動させた状態を示している。便座５１に着座した使用者の人体局部を洗浄する場合、第一のノズル５３ａ又は第二のノズル５３ｂは、便器２内に突出して人体局部に洗浄水を噴出する。このとき、第一のノズル５３ａ又は第二のノズル５３ｂによって統合シャッター５５が押し上げられる。人体局部の洗浄後に人体局部を乾燥する場合、乾燥ダクト５４は、便器２内に突出して吹き出し口５４ａから人体局部に向かって送風する。乾燥ダクト５４が突出しているときには、第一のノズル５３ａ又は第二のノズル５３ｂによって統合シャッター５５が押し上げられた状態が保たれている。
【先行技術文献】
【特許文献】
【０００６】
【特許文献１】特開２０１０−２４７５４号公報
【発明の概要】
【発明が解決しようとする課題】
【０００７】
人体局部洗浄装置５０においては、使用者の排泄中は、統合シャッター５５が本体部５２の前面を覆っていることにより、第一のノズル５３ａ、第二のノズル５３ｂ及び乾燥ダクト５４への汚物等の付着が防止されている。しかし、統合シャッター５５が押し上げられて、第一のノズル５３ａ又は第二のノズル５３ｂによって人体局部の洗浄が行われているときには、人体局部に当たって跳ね返ってきた洗浄後の汚染水等が、本体部５２の前面や乾燥ダクト５４の先端壁５４ｃに付着する虞がある。
【０００８】
本体部５２の前面や乾燥ダクト５４の先端壁５４ｃに付着した汚染水の大半は、自重により落下して、本体部５２の下端から便器２に滴り落ちる。しかし、汚染水の一部は、汚染水が落下しにくい凹凸部に残留するため、これが人体局部洗浄装置５０の美観を損ねたり、不衛生となったりする要因となる。例えば、図６に示すように、ダクト収納部５２ｃと乾燥ダクト５４のダクト壁５４ｂとの間には、ダクト壁５４ｂの全周にわたって隙間Ｓが形成されており、この隙間Ｓに汚染水が溜まりやすい。特に、隙間Ｓのうち下方の隙間ＳＢには、前方から飛沫してきた汚染水が直接侵入するほか、上方の隙間Ｓに侵入した汚染水と、乾燥ダクト５４の先端壁５４ｃの前面に付着した汚染水とが自重により落下して集まりやすい。したがって、下方の隙間ＳＢには、最も汚れが溜まりやすい。
【０００９】
このように人体局部洗浄装置５０が汚れたときには、拭き掃除が必要となる。ここで、本体部５２の前面や乾燥ダクト５４の先端壁５４ｃの前面に付着した汚れは、拭き掃除によって容易に取り除くことが可能である。しかし、狭い隙間Ｓに付着した汚れは、拭き掃除によって取り除くことが困難である。特に、人体局部洗浄装置５０では、手動で容易に乾燥ダクト５４を前方に引き出せる構造になっていないため、隙間Ｓの内部の清掃を行うことが困難である。
【００１０】
本発明は、上記した実情に鑑みてなされたものであり、便座に着座した使用者の人体局部を洗浄するノズルと、人体局部の洗浄後に、本体部から便器内に突出して人体局部を乾燥する乾燥ダクトとを備える人体局部洗浄装置において、本体部と乾燥ダクトとの間の隙間に汚れが溜まりにくく、かつ溜まった汚れの清掃性に優れた人体局部洗浄装置を提供することを課題とする。
【課題を解決するための手段】
【００１１】
上記の課題を解決するため、請求項１に係る人体局部洗浄装置の構成上の特徴は、使用者が着座する便座と、前記便座の後端を回動自在に支持する本体部と、前記本体部のノズル収納部に収納され、前記便座に着座した使用者の人体局部を洗浄する場合、該ノズル収納部から前方に突出して該人体局部に洗浄水を噴出するノズルと、前記本体部のダクト収納部に収納され、前記人体局部の洗浄後に該人体局部を乾燥する場合、該ダクト収納部から前方に突出して該人体局部に送風する乾燥ダクトと、を備えた人体局部洗浄装置において、前記乾燥ダクトは、上方に送風用の吹き出し口が形成された筒状を呈するダクト壁と、該ダクト壁の先端開口を塞ぐ先端壁と、前記ダクト収納部と前記ダクト壁との間の隙間のうち少なくとも該ダクト壁よりも下方の隙間を前方から覆い隠すように前記先端壁又は前記ダクト壁の先端側の外周面から下方に突設されたフランジ部と、を備え、前記ダクト収納部は、前記乾燥ダクトが突出する口の縁部となる口縁部を有し、該口縁部のうち下方側に該ダクト収納部の内外を挿通するように後方に向かって凹設された凹設溝が形成されており、前記乾燥ダクトの前記フランジ部の少なくとも一部が該凹設溝に収まっていることである。
【００１２】
請求項２に係る発明の構成上の特徴は、使用者が着座する便座と、前記便座の後端を回動自在に支持する本体部と、前記本体部のノズル収納部に収納され、前記便座に着座した使用者の人体局部を洗浄する場合、該ノズル収納部から前方に突出して該人体局部に洗浄水を噴出するノズルと、前記本体部のダクト収納部に収納され、前記人体局部の洗浄後に該人体局部を乾燥する場合、該ダクト収納部から前方に突出して該人体局部に送風する乾燥ダクトと、を備えた人体局部洗浄装置において、前記乾燥ダクトは、上方に送風用の吹き出し口が形成された筒状を呈するダクト壁と、該ダクト壁の先端開口を塞ぐ先端壁と、前記ダクト収納部と前記ダクト壁との間の隙間のうち少なくとも該ダクト壁よりも下方の隙間を前方から覆い隠すように前記先端壁又は前記ダクト壁の先端側の外周面から下方に突設されたフランジ部と、を備え、前記乾燥ダクトの前記フランジ部の下端には、該フランジ部に付着した水滴を該水滴の自重により一点に集約する尖状部が形成されていることである。
【００１３】
請求項３に係る発明の構成上の特徴は、請求項１に記載の人体局部洗浄装置において、前記乾燥ダクトの前記フランジ部の下端には、該フランジ部に付着した水滴を該水滴の自重により一点に集約する尖状部が形成されていることである。
【００１４】
請求項４に係る発明の構成上の特徴は、請求項１〜３のうちのいずれか一項に記載の人体局部洗浄装置において、前記乾燥ダクトは、前記吹き出し口の少なくとも一部を含む先端部が着脱自在とされていることである。
【発明の効果】
【００１５】
本発明によれば、乾燥ダクトは、本体部のダクト収納部とダクト壁との間の隙間のうち少なくともダクト壁よりも下方の隙間を前方から覆い隠すように、先端壁又はダクト壁の先端側の外周面から下方に突設されたフランジ部を備えている。したがって、人体局部に当たって跳ね返ってきた洗浄後の汚染水等が、フランジ部に遮られるため、ダクト壁よりも下方の隙間に汚染水が直接侵入することはない。また、乾燥ダクトの先端壁の前面に付着した汚染水が自重により落下した場合、汚染水は、先端壁を伝って落下した後に、先端壁の下方に設けられているフランジ部を伝って、フランジ部の下端から便器に滴り落ちる。したがって、乾燥ダクトの先端壁の前面に付着した汚染水がダクト壁よりも下方の隙間に侵入することはない。よって、本発明によれば、ダクト収納部とダクト壁との間の隙間のうち少なくともダクト壁よりも下方の隙間に汚れが溜まることを防止することができる。
【００１６】
本体部のダクト収納部とダクト壁との間の隙間に付着した汚れを取り除く場合、乾燥ダクトを前方に引き出すと清掃性が向上する。ここで、本発明によれば、フランジ部を摘むことによって、乾燥ダクトを手動で容易に前方に引き出すことができるため、清掃性に優れている。
【００１７】
なお、フランジ部は、乾燥ダクトの先端壁又はダクト壁の先端側の外周面から少なくとも下方に突設されているが、フランジ部を先端壁又はダクト壁の先端側の外周面の全周に設けることもできる。この場合、ダクト収納部とダクト壁との間の隙間全体がフランジ部によって遮られるため、隙間全体にわたって汚れが溜まることを防止することができる。
【００１８】
本体部のダクト収納部の口縁部のうち下方側に、ダクト収納部の内外を挿通するように後方に向かって凹設された凹設溝が形成されている。したがって、ダクト収納部とダクト壁との間の隙間のうち上方の隙間に侵入した汚染水が自重により落下した場合、汚染水は、下方の隙間に溜まることなく、凹設溝を通過して便器に滴り落ちる。よって、本発明によれば、ダクト収納部とダクト壁との間の隙間のうちダクト壁よりも下方の隙間に汚れが溜まることを防止することができる。
【００１９】
また、本発明によれば、乾燥ダクトのフランジ部の少なくとも一部が凹設溝に収まっている。このため、ダクト収納部の口縁部の前面と、乾燥ダクトの先端壁及びフランジ部の各前面との段差が小さい。よって、これら各前面の段差が小さい分、本体部及び乾燥ダクトの前面を拭き掃除するときの清掃性に優れている。
【００２０】
本発明によれば、乾燥ダクトのフランジ部の下端に、フランジ部に付着した水滴を自重により一点に集約する尖状部が形成されている。よって、乾燥ダクトの先端壁の前面やフランジ部の前面に付着した汚染水が自重により落下した場合、汚染水が尖状部に集約される。このため、尖状部において汚染水の液滴が大きくなりやすく、汚染水がフランジ部の下端からより滴り落ちやすい。よって、本発明によれば、乾燥ダクトのフランジ部から速やかに汚染水を滴らせることにより、フランジ部の下端に汚れが溜まることを防止することができる。
【００２１】
本発明によれば、乾燥ダクトは、吹き出し口の少なくとも一部を含む先端部が着脱自在とされている。したがって、本体部のダクト収納部とダクト壁との間の隙間に付着した汚れを取り除く場合、乾燥ダクトの先端部を取り外して、ダクト収納部の内周面を露出させることができる。これにより、ダクト収納部の内周面に付着した汚れを容易かつ確実に取り除くことができる。また、吹き出し口の少なくとも一部を含む先端部を取り外して清掃することができるため、乾燥ダクトの先端部の外周面や吹き出し口の内周面に付着した汚れを容易かつ確実に取り除くことができる。なお、乾燥ダクトの先端部を取り外すときには、フランジ部を摘んで前方に引っ張ることができるため、先端部を取り外しやすい。
【００２２】
以上のように、本発明によれば、便座に着座した使用者の人体局部を洗浄するノズルと、人体局部の洗浄後に、本体部から便器内に突出して人体局部を乾燥する乾燥ダクトとを備える人体局部洗浄装置において、本体部と乾燥ダクトとの間の隙間に汚れが溜まりにくく、かつ溜まった汚れの清掃性に優れた人体局部洗浄装置を提供することができる。
【図面の簡単な説明】
【００２３】
【図１】本発明の一実施形態の人体局部洗浄装置が搭載された便器の外観斜視図であって、乾燥ダクトにより人体局部を乾燥している状態を示している。
【図２】本発明の一実施形態の人体局部洗浄装置の外観斜視図であって、乾燥ダクトが本体部に収納されている状態を示している。
【図３】本発明の一実施形態の人体局部洗浄装置の外観斜視図であって、乾燥ダクトが本体部から前方に突出している状態を示している。
【図４】本発明の一実施形態の人体局部洗浄装置における本体部の内部構造を説明する斜視図である。
【図５】従来技術の人体局部洗浄装置が搭載された便器の外観斜視図であって、乾燥ダクトにより人体局部を乾燥している状態を示している。
【図６】従来技術の人体局部洗浄装置の外観斜視図であって、乾燥ダクトが本体部に収納されている状態を示している。
【発明を実施するための形態】
【００２４】
図１〜４に基づき、本発明の一実施形態による人体局部洗浄装置について説明する。なお、説明中における上、下、左、右、前、後とは、図１〜４に示す上、下、左、右、前、後のことであり、便座に着座した使用者にとっての上、下、左、右、前、後を指している。なお、図１における上下左右方向はほぼ紙面平行方向、前方向は紙面手前方向、後方向は紙面奥方向に向いている。図２及び３における上下前後方向は紙面平行方向、左方向は紙面奥方向、右方向は紙面手前方向に向いている。図４における上下方向はほぼ紙面平行方向、左方向及び前方向は紙面手前方向、右方向及び後方向は紙面奥方向に向いている。
【００２５】
図１は、人体局部洗浄装置１が搭載された便器２の外観斜視図であって、乾燥ダクト１４により人体局部を乾燥している状態を示している。図２は、人体局部洗浄装置１の外観斜視図であって、乾燥ダクト１４が本体部１２に収納されている状態を示している。図３は、人体局部洗浄装置１の外観斜視図であって、乾燥ダクト１４が本体部１２から前方に突出している状態を示している。図４は、人体局部洗浄装置１における本体部１２の内部構造を説明する斜視図である。
【００２６】
図１に示すように、人体局部洗浄装置１は、便器２の上部に搭載されている。図１〜４に示すように、人体局部洗浄装置１は、使用者が着座する便座１１と、便座１１の後端を回動自在に支持する本体部１２と、本体部１２の幅方向の中央部に形成された第一及び第二のノズル収納部１２ａ及び１２ｂのそれぞれに出没自在に収納された第一及び第二のノズル１３ａ及び１３ｂと、第一のノズル収納部１２ａの横に形成された本体部１２のダクト収納部１２ｃに出没自在に収納された乾燥ダクト１４と、ヒンジ１５ａにより本体部１２に対して回動自在（開閉自在）に設けられた統合シャッター１５と、を備えている。また、乾燥ダクト１４は、上方に送風用の吹き出し口１４ａが形成された筒状を呈するダクト壁１４ｂと、ダクト壁１４ｂの先端開口を塞ぐ先端壁１４ｃと、ダクト壁１４ｂの最先端の外周面１４ｄから下方に突設された（すなわち、先端壁１４ｃから下方に突設された）フランジ部１４ｅと、を備えている。
【００２７】
図２及び３は、第一のノズル１３ａ、第二のノズル１３ｂ及び乾燥ダクト１４の収納状態及び突出状態を説明するために、本体部１２の前面を覆っている統合シャッター１５を強制的に上方に回動させた状態を示している。便座１１に着座した使用者の人体局部を洗浄する場合、第一のノズル１３ａ又は第二のノズル１３ｂは、便器２内に突出して人体局部に洗浄水を噴出する。このとき、第一のノズル１３ａ又は第二のノズル１３ｂによって統合シャッター１５が押し上げられる。人体局部の洗浄後に人体局部を乾燥する場合、乾燥ダクト１４は、人体局部に近づく方向に便器２内に斜めに突出して吹き出し口１４ａから人体局部に向かって送風する。乾燥ダクト１４が突出しているときには、第一のノズル１３ａ又は第二のノズル１３ｂによって統合シャッター１５が押し上げられた状態が保たれている。
【００２８】
図３に示すように、本体部１２のダクト収納部１２ｃの開口形状は、乾燥ダクト１４のダクト壁１４ｂの筒状の断面形状よりも僅かに寸法が大きい相似形状を呈している。したがって、ダクト収納部１２ｃとダクト壁１４ｂとの間には、ダクト壁１４ｂの全周にわたって隙間Ｓが形成されている。ダクト収納部１２ｃの口縁部１２ｄのうち下方側には、ダクト収納部１２ｃの内外を挿通するように後方に向かって凹設された凹設溝１２ｅ（段落とし部）が形成されている。
【００２９】
図４に示すように、乾燥ダクト１４の吹き出し口１４ａは、ダクト壁１４ｂの先端の上壁を上下方向に貫通するように形成された矩形の開口部である。図２及び３に示すように、ダクト壁１４ｂの筒状の断面形状は、右下方の角部が弧状に面取りされた略矩形状を呈している。ダクト壁１４ｂの先端開口を塞ぐ先端壁１４ｃの正面形状は、ダクト壁１４ｂの断面形状と同一の略矩形状を呈している。フランジ部１４ｅは、先端壁１４ｃの面取り形状を保ちつつ先端壁１４ｃを下方に延長することにより形成されている。したがって、先端壁１４ｃ及びフランジ部１４ｅの各前面は、連続した平坦面となっている。フランジ部１４ｅの右下方が弧状に面取りされているため、フランジ部１４ｅの左下方の下端には、フランジ部１４ｅに付着した水滴を水滴の自重により一点に集約する尖状部１４ｆが形成されている。
【００３０】
図２に示すように、乾燥ダクト１４の収納状態において、フランジ部１４ｅの略全部がダクト収納部１２ｃの凹設溝１２ｅに収まっている。これにより、ダクト収納部１２ｃの口縁部１２ｄの前面と、先端壁１４ｃ及びフランジ部１４ｅの各前面とが面一となっている。また、ダクト収納部１２ｃとダクト壁１４ｂとの間の隙間Ｓのうち下方の隙間ＳＢがフランジ部１４ｅにより前方から覆い隠されている。なお、乾燥ダクト１４の収納状態において、フランジ部１４ｅの下端を、凹設溝１２ｅの下端と同一又は僅かに上方の高さとなるように設定している。これにより、フランジ部１４ｅの下端に物が引っ掛かることを防止して、乾燥ダクト１４の破損のリスクを低減している。
【００３１】
図３及び４に示すように、乾燥ダクト１４は、風路となる筒部１４Ｐと、筒部１４Ｐの先端に取り付けられる先端部１４Ｔとの二部材により形成されている。先端部１４Ｔには、吹き出し口１４ａと、ダクト壁１４ｂの先端側の一部と、先端壁１４ｃと、フランジ部１４ｅとが含まれている。先端部１４Ｔは、筒部１４Ｐに対して、例えば爪嵌合により着脱自在に連結されており、先端部１４Ｔを前方に強く引っ張ることにより、筒部１４Ｐから先端部１４Ｔが外れるようになっている。
【００３２】
図４に示すように、乾燥ダクト１４は、外套１７に内蔵されている。外套１７には、温風を生成するためのヒータ１７ａと、風ないし温風を吹き出すためのファン１７ｂとが内蔵されている。乾燥ダクト駆動装置１６は、不図示のモータ及びそれに連結されたラックアンドピニオン１６ａから構成されている。モータが回転しピニオンがラック上を回転して、ラック軸に接続された乾燥ダクト１４がリニアに移動することにより、乾燥ダクト１４は、外套１７内をストロークして便器２内に出没する。使用者が、人体局部洗浄装置１に、乾燥ダクト１４から人体局部に向かって風ないし温風を送風するよう指令を送ると、乾燥ダクト１４の先端部１４Ｔは便器２の幅方向中央に向かって斜めに突出し、ヒータ１７ａないしファン１７ｂによって生成された風ないし温風が吹き出し口１４ａから送出される。
【００３３】
本実施形態の人体局部洗浄装置１によれば、乾燥ダクト１４は、本体部１２のダクト収納部１２ｃとダクト壁１４ｂとの間の隙間Ｓのうちダクト壁１４ｂよりも下方の隙間ＳＢを前方から覆い隠すように、ダクト壁１４ｂの最先端の外周面１４ｄから下方に突設された（すなわち、先端壁１４ｃから下方に突設された）フランジ部１４ｅを備えている。
【００３４】
したがって、人体局部に当たって跳ね返ってきた洗浄後の汚染水等が、フランジ部１４ｅに遮られるため、ダクト壁１４ｂよりも下方の隙間ＳＢに汚染水が直接侵入することはない。また、乾燥ダクト１４の先端壁１４ｃの前面に付着した汚染水が自重により落下した場合、汚染水は、先端壁１４ｃを伝って落下した後に、先端壁１４ｃの下方に設けられているフランジ部１４ｅを伝って、フランジ部１４ｅの下端から便器２に滴り落ちる。したがって、乾燥ダクト１４の先端壁１４ｃの前面に付着した汚染水がダクト壁１４よりも下方の隙間ＳＢに侵入することはない。よって、本実施形態によれば、ダクト収納部１２ｃとダクト壁１４ｂとの間の隙間Ｓのうちダクト壁１４ｂよりも下方の隙間ＳＢに汚れが溜まることを防止することができる。また、本実施形態によれば、フランジ部１４ｅを摘むことによって、乾燥ダクト１４を手動で容易に前方に引き出すことができるため、隙間Ｓに付着した汚れを取り除く際の清掃性に優れている。
【００３５】
また、本実施形態によれば、本体部１２のダクト収納部１２ｃの口縁部１２ｄのうち下方側に、ダクト収納部１２ｃの内外を挿通するように後方に向かって凹設された凹設溝１２ｅが形成されている。したがって、ダクト収納部１２ｃとダクト壁１４ｂとの間の隙間Ｓのうち上方の隙間Ｓに侵入した汚染水が自重により落下した場合、汚染水は、下方の隙間ＳＢに溜まることなく、凹設溝１２ｅを通過して便器２に滴り落ちる。よって、本実施形態によれば、ダクト収納部１２ｃとダクト壁１４ｂとの間の隙間Ｓのうちダクト壁１４ｂよりも下方の隙間ＳＢに汚れが溜まることを防止することができる。
【００３６】
また、本実施形態によれば、乾燥ダクト１４のフランジ部１４ｅの略全部がダクト収納部１２ｃの凹設溝１２ｅに収まっている。これにより、ダクト収納部１２ｃの口縁部１２ｄの前面と、先端壁１４ｃ及びフランジ部１４ｅの各前面とが面一となっている。よって、口縁部１２ｄ、先端壁１４ｃ及びフランジ部１４ｅの各前面に段差がないため、本体部１２及び乾燥ダクト１４の前面を拭き掃除するときの清掃性に優れている。
【００３７】
また、本実施形態によれば、乾燥ダクト１４のフランジ部１４ｅの下端に、フランジ部１４ｅに付着した水滴を自重により一点に集約する尖状部１４ｆが形成されている。よって、乾燥ダクト１４の先端壁１４ｃの前面やフランジ部１４ｅの前面に付着した汚染水が自重により落下した場合、汚染水が尖状部１４ｆに集約される。このため、尖状部１４ｆにおいて汚染水の液滴が大きくなりやすく、汚染水がフランジ部１４ｅの下端からより滴り落ちやすい。よって、本実施形態によれば、乾燥ダクト１４のフランジ部１４ｅから速やかに汚染水を滴らせることにより、フランジ部１４ｅの下端に汚れが溜まることを防止することができる。
【００３８】
また、本実施形態によれば、乾燥ダクト１４は、吹き出し口１４ａを含む先端部１４Ｔが着脱自在とされている。したがって、本体部１２のダクト収納部１２ｃとダクト壁１４ｂとの間の隙間Ｓに付着した汚れを取り除く場合、乾燥ダクト１４の先端部１４Ｔを取り外して、ダクト収納部１２ｃの内周面を露出させることができる。これにより、ダクト収納部１２ｃの内周面に付着した汚れを容易かつ確実に取り除くことができる。また、吹き出し口１４ａを含む先端部１４Ｔを取り外して清掃することができるため、乾燥ダクト１４の先端部１４Ｔの外周面１４ｄや吹き出し口１４ａの内周面に付着した汚れを容易かつ確実に取り除くことができる。先端部１４Ｔを取り外すときには、フランジ部１４ｅを摘んで前方に引っ張ることができるため、先端部１４Ｔを取り外しやすい。
【００３９】
本発明の人体局部洗浄装置は、上述した実施形態に限定されるものではなく、本発明の要旨を逸脱しない範囲において、当業者が行い得る変更、改良等を施した種々の形態にて実施することができることは言うまでもない。
【００４０】
例えば、本実施形態においては、乾燥ダクト１４のフランジ部１４ｅが、ダクト壁１４ｂの最先端に設けられており、先端壁１４ｃ及びフランジ部１４ｅの各前面が、連続した平坦面となっている。しかし、フランジ部１４ｅの位置は、ダクト壁１４ｂの最先端に限定されず、フランジ部１４ｅをダクト壁１４ｂの先端付近に設けてもよい。すなわち、先端壁１４ｃ及びフランジ部１４ｅの各前面に多少の段差があってもよい。
【００４１】
また、本実施形態においては、乾燥ダクト１４のフランジ部１４ｅの略全部をダクト収納部１２ｃの凹設溝１２ｅに収めることにより、ダクト収納部１２ｃの口縁部１２ｄの前面と、先端壁１４ｃ及びフランジ部１４ｅの各前面とが面一となっている。しかし、フランジ部１４ｅがダクト壁１４ｂよりも下方の隙間ＳＢを前方から覆い隠す構成であれば、フランジ部１４ｅの一部のみが凹設溝１２ｅに収まっている構成とすることもできる。また、フランジ部１４ｅの全部が凹設溝１２ｅに収まっていない構成とすることもできる。
【００４２】
また、本実施形態においては、フランジ部１４ｅの下端を、凹設溝１２ｅの下端と同一又は僅かに上方の高さとなるように設定している。しかし、フランジ部がダクト壁１４ｂよりも下方の隙間ＳＢを前方から覆い隠す構成であれば、フランジ部の下端と、凹設溝１２ｅの下端との高さに差があってもよい。
【００４３】
また、本実施形態においては、フランジ部１４ｅの左下方の下端に、フランジ部１４ｅに付着した水滴を水滴の自重により一点に集約する尖状部１４ｆが形成されている。しかし、尖状部１４ｆを形成する位置は、フランジ部１４ｅの左下方の下端に限定されず、尖状部をフランジ部の右下方の下端や、フランジ部の左右の中央部の下端に形成することもできる。
【００４４】
また、本実施形態においては、乾燥ダクト１４のフランジ部１４ｅが、ダクト壁１４ｂの最先端の外周面１４ｄから下方のみに突設されているが、フランジ部をダクト壁１４ｂの最先端の外周面１４ｄの全周に設けることもできる。この場合、ダクト収納部１２ｃとダクト壁１４ｂとの間の隙間Ｓ全体がフランジ部によって遮られるため、隙間Ｓ全体にわたって汚れが溜まることを防止することができる。
【００４５】
また、本実施形態においては、乾燥ダクト１４の先端部１４Ｔに吹き出し口１４ａの全部が含まれているが、先端部１４Ｔに吹き出し口１４ａの一部が含まれており、筒部１４Ｐに吹き出し口１４ａの他部が含まれている構成とすることもできる。また、本実施形態においては、乾燥ダクト１４を、筒部１４Ｐと、筒部１４Ｐに対して着脱自在な先端部１４Ｔとの二部材により形成しているが、乾燥ダクト１４を分割不能な一体部品として形成することもできる。
【符号の説明】
【００４６】
１      …  人体局部洗浄装置            １１    …  便座
１２    …  本体部                      １２ａ  …  第一のノズル収納部
１２ｂ  …  第二のノズル収納部          １２ｃ  …  ダクト収納部
１２ｄ  …  口縁部                      １２ｅ  …  凹設溝
１３ａ  …  第一のノズル                １３ｂ  …  第二のノズル
１４    …  乾燥ダクト                  １４ａ  …  吹き出し口
１４ｂ  …  ダクト壁                    １４ｃ  …  先端壁
１４ｄ  …  外周面                      １４ｅ  …  フランジ部
１４ｆ  …  尖状部                      １４Ｔ  …  先端部
Ｓ      …  隙間                        ＳＢ    …  下方の隙間
【図１】
0005999413.tif 000002
【図２】
0005999413.tif 000003
【図３】
0005999413.tif 000004
【図４】
0005999413.tif 000005
【図５】
0005999413.tif 000006
【図６】
0005999413.tif 000007